(57)【要約】【課題】故障が発生し難く、且つ遊技者に与える視覚的変化の大きいパチンコ機の入賞装置を提供することを目的とする。【解決手段】入賞装置は、誘導部材５２が左右方向に移動することによって、遊技球が入賞し易い状態と入賞し難い状態とを切り替える。誘導部材５２に設けられた凸設部６２の溝部６８に、可動棒部６３の凸部６９が挿通している。可動棒部６３の後端部分はパチンコ機本体に軸支されている。ソレノイド６１のプランジャ６５が、可動棒部６３のうち後端近傍に接続している。ソレノイド６１に通電した場合、プランジャ６５が左方に引き込まれるので、可動棒部６３の先端部分に滑動可能に固定されている凸設部６２及び誘導部材５２は左方に移動する（矢印Ａ）。ソレノイド６１への通電が解除された場合、ばね７６の付勢力によって誘導部材５２は右方に移動する。【選択図】図６
2011004838.tif 000002
【特許請求の範囲】
【請求項１】
入賞口に遊技球を誘導するパチンコ機の入賞装置であって、
遊技盤面に取り付けられる取付部材から遊技者側に隆起する板状部材であって、前記入賞口の上方に設けられ、少なくとも前記板状部材の真下部分に前記遊技球が流下することを遮る軒板部と、
前記遊技球を前記入賞口に誘導する誘導部を備えた誘導部材と、
前記誘導部材を左右少なくともいずれかの方向に移動させる駆動手段と
を備え、
前記駆動手段は、
前記軒板部の真下部分に前記誘導部を配置した状態である閉塞状態と、前記軒板部の真下部分から左右少なくともいずれかの方向に前記誘導部のうち少なくとも一部分が突出するように、前記誘導部を配置した状態である開放状態とに前記誘導部材を移動させ、
前記誘導部は、
前記開放状態となった場合に、前記誘導部のうち前記軒板部の真下部分から左右少なくともいずれかの方向に突出した部分に流入した前記遊技球を、前記入賞口に誘導することを特徴とするパチンコ機の入賞装置。
【請求項２】
前記誘導部材には、前後方向に延びる溝部が設けられており、
棒状部材であって、前端部分に設けられた凸部が前記溝部に滑動可能に挿通しており、後端部分において前記パチンコ機本体に軸支された棒状部材である可動棒部を備え、
前記駆動手段は、
前記可動棒部を左右いずれかの方向に移動させることによって前記誘導部材を移動させ、前記誘導部を、前記閉塞状態に配置した状態から前記開放状態に配置した状態とすることを特徴とする請求項１に記載のパチンコ機の入賞装置。
【請求項３】
前記駆動手段は
前記可動棒部のうち前記後端部分の近傍において前記可動棒部に接続し、前記後端部分の近傍を移動させることを特徴とする請求項２に記載のパチンコ機の入賞装置。
【請求項４】
前記駆動手段はソレノイドを備えたことを特徴とする請求項２又は３に記載のパチンコ機の入賞装置。
【請求項５】
前記駆動手段は、
前記誘導部材を左右いずれかの方向に付勢する第一付勢手段を備えたことを特徴とする請求項２乃至４のいずれかに記載のパチンコ機の入賞装置。
【請求項６】
前記第一付勢手段は、前記誘導部が前記開放状態から前記閉塞状態に向かう方向に前記誘導部材を付勢するばねであることを特徴とする請求項５に記載のパチンコ機の入賞装置。
【請求項７】
前記誘導部材に接続するカムであって、中心に開口部を備え、前記パチンコ機本体に軸支された前記カムである平面カムと、
前記平面カムの前記開口部に内接し、回動可能な回動凸部と
を備え、
前記駆動手段は、
前記回動凸部を回動させることによって、前記平面カムを前記パチンコ機本体との軸支部分を支軸として揺動させ、前記平面カムに接続された前記誘導部材を左右いずれかの方向に移動させることによって、前記誘導部の配置を前記開放状態とすることを特徴とする請求項１に記載のパチンコ機の入賞装置。
【請求項８】
前記平面カムの前記開口部は、
半円弧状の第一枠部と、前記第一枠部のうち一方の端部から、前記第一枠部の半円弧の内側方向に延設する第二枠部と、前記第二枠部のうち前記第一枠部に接続する側と反対側の端部から、前記第一枠部の半円弧の外側方向に延設し、前記第一枠部のうち他方の端部に接続する第三枠部とで囲まれることによって形成されており、
前記誘導部材は、
前記回動凸部が前記第一枠部に内接した状態で前記回動凸部が回動する場合、又は、前記回動凸部が何れの枠部にも内接しない状態で前記回動凸部が回動する場合には、前記誘導部が前記閉塞状態に配置されるように保持され、前記回動凸部が前記第二枠部に内接した状態で前記回動凸部が回動する場合に、前記誘導部が前記閉塞状態から前記開放状態に配置されるように移動することを特徴とする請求項７に記載のパチンコ機の入賞装置。
【請求項９】
前記駆動手段はモータを備えたことを特徴とする請求項７及び８に記載のパチンコ機の入賞装置。
【請求項１０】
前記駆動手段は、
前記誘導部材を左右いずれかの方向に付勢する第二付勢手段を備えたことを特徴とする請求項７乃至９のいずれかに記載のパチンコ機の入賞装置。
【請求項１１】
前記第二付勢手段は、前記誘導部が前記開放状態から前記閉塞状態に向かう方向に前記誘導部材を付勢するばねであることを特徴とする請求項１０に記載のパチンコ機の入賞装置。
【請求項１２】
前記誘導部材の位置を検出する検出手段を備えたことを特徴とする請求項７乃至１１のいずれかに記載のパチンコ機の入賞装置。
【発明の詳細な説明】
【技術分野】
【０００１】
本発明はパチンコ機の入賞装置に関する。より詳細には、誘導部材を遊技盤の左右方向に移動させるパチンコ機の入賞装置に関する。
【背景技術】
【０００２】
従来、パチンコ機に設けられる入賞装置として、左右対称の可動翼を入賞口の両側に開閉自由に軸支した入賞装置（チューリップ式役物）が知られている。この入賞装置は、開閉翼片が起立した状態と、開閉翼片が傾倒した状態とに変化する。これによって、入賞口に遊技球が入り難い状態（開閉翼片が起立した状態）と、遊技球が入り易い状態（開閉翼片が傾倒した状態）とに切り替えることができる。
【０００３】
また、特許文献１に記載の入賞装置では、受入部材自体を上下に移動させ、受入部材の上端に軸支された変位部材を、受入口に向けて下り勾配をなす状態と、受入口の外域に向けて下り勾配をなす状態とに変位させる。これによって、遊技球が受入口に入賞し易い状態と入賞し難い状態とに切り替える。受入部材自体が上下に移動するので、入賞装置の視覚的変化が大きくなる。遊技者に対して入賞への期待をより大きく抱がせることが可能となっている。
【先行技術文献】
【特許文献】
【０００４】
【特許文献１】特開２００２−１０２４４６号公報
【発明の概要】
【発明が解決しようとする課題】
【０００５】
しかしながら上述の入賞装置は、受入部材と変位部材とを備えなければならないので、装置全体の構成が複雑になる。特に入賞装置付近は、遊技球が頻繁に流下する部分であるので、流下した遊技球が繰り返し入賞装置に衝突して稼動部分が故障してしまうという問題点がある。
【０００６】
本発明は上述の問題点を解決するためになされたものであり、故障が発生し難く、且つ遊技者に与える視覚的変化の大きいパチンコ機の入賞装置を提供することを目的とする。
【課題を解決するための手段】
【０００７】
上述の問題点を解決するために、請求項１に係る発明のパチンコ機の入賞装置は、入賞口に遊技球を誘導するパチンコ機の入賞装置であって、遊技盤面に取り付けられる取付部材から遊技者側に隆起する板状部材であって、前記入賞口の上方に設けられ、少なくとも前記板状部材の真下部分に前記遊技球が流下することを遮る軒板部と、前記遊技球を前記入賞口に誘導する誘導部を備えた誘導部材と、前記誘導部材を左右少なくともいずれかの方向に移動させる駆動手段とを備え、前記駆動手段は、前記軒板部の真下部分に前記誘導部を配置した状態である閉塞状態と、前記軒板部の真下部分から左右少なくともいずれかの方向に前記誘導部のうち少なくとも一部分が突出するように、前記誘導部を配置した状態である開放状態とに前記誘導部材を移動させ、前記誘導部は、前記開放状態となった場合に、前記誘導部のうち前記軒板部の真下部分から左右少なくともいずれかの方向に突出した部分に流入した前記遊技球を、前記入賞口に誘導することを特徴とする。
【０００８】
また、請求項２に係る発明のパチンコ機の入賞装置は、請求項１に記載の発明の構成に加えて、前記誘導部材には、前後方向に延びる溝部が設けられており、棒状部材であって、前端部分に設けられた凸部が前記溝部に滑動可能に挿通しており、後端部分において前記パチンコ機本体に軸支された棒状部材である可動棒部を備え、前記駆動手段は、前記可動棒部を左右いずれかの方向に移動させることによって前記誘導部材を移動させ、前記誘導部を、前記閉塞状態に配置した状態から前記開放状態に配置した状態とすることを特徴とする。
【０００９】
また、請求項３に係る発明のパチンコ機の入賞装置は、請求項２に記載の発明の構成に加えて、前記駆動手段は、前記可動棒部のうち前記後端部分の近傍において前記可動棒部に接続し、前記後端部分の近傍を移動させることを特徴とする。
【００１０】
また、請求項４に係る発明のパチンコ機の入賞装置は、請求項２又は３に記載の発明の構成に加えて、前記駆動手段はソレノイドを備えたことを特徴とする。
【００１１】
また、請求項５に係る発明のパチンコ機の入賞装置は、請求項２乃至４のいずれかに記載の発明の構成に加えて、前記駆動手段は、前記誘導部材を左右いずれかの方向に付勢する第一付勢手段を備えたことを特徴とする。
【００１２】
また、請求項６に係る発明のパチンコ機の入賞装置は、請求項５に記載の発明の構成に加えて、前記第一付勢手段は、前記誘導部が前記開放状態から前記閉塞状態に向かう方向に前記誘導部材を付勢するばねであることを特徴とする。
【００１３】
また、請求項７に係る発明のパチンコ機の入賞装置は、請求項１に記載の発明の構成に加えて、前記誘導部材に接続するカムであって、中心に開口部を備え、前記パチンコ機本体に軸支された前記カムである平面カムと、前記平面カムの前記開口部に内接し、回動可能な回動凸部とを備え、前記駆動手段は、前記回動凸部を回動させることによって、前記平面カムを前記パチンコ機本体との軸支部分を支軸として揺動させ、前記平面カムに接続された前記誘導部材を左右いずれかの方向に移動させることによって、前記誘導部の配置を前記開放状態とすることを特徴とする。
【００１４】
また、請求項８に係る発明のパチンコ機の入賞装置は、請求項７に記載の発明の構成に加えて、前記平面カムの前記開口部は、半円弧状の第一枠部と、前記第一枠部のうち一方の端部から、前記第一枠部の半円弧の内側方向に延設する第二枠部と、前記第二枠部のうち前記第一枠部に接続する側と反対側の端部から、前記第一枠部の半円弧の外側方向に延設し、前記第一枠部のうち他方の端部に接続する第三枠部とで囲まれることによって形成されており、前記誘導部材は、前記回動凸部が前記第一枠部に内接した状態で前記回動凸部が回動する場合、又は、前記回動凸部が何れの枠部にも内接しない状態で前記回動凸部が回動する場合には、前記誘導部が前記閉塞状態に配置されるように保持され、前記回動凸部が前記第二枠部に内接した状態で前記回動凸部が回動する場合に、前記誘導部が前記閉塞状態から前記開放状態に配置されるように移動することを特徴とする。
【００１５】
また、請求項９に係る発明のパチンコ機の入賞装置は、請求項７及び８に記載の発明の構成に加えて、前記駆動手段はモータを備えたことを特徴とする。
【００１６】
また、請求項１０に係る発明のパチンコ機の入賞装置は、請求項７乃至９のいずれかに記載の発明の構成に加えて、前記駆動手段は、前記誘導部材を左右いずれかの方向に付勢する第二付勢手段を備えたことを特徴とする。
【００１７】
また、請求項１１に係る発明のパチンコ機の入賞装置は、請求項１０に記載の発明の構成に加えて、前記第二付勢手段は、前記誘導部が前記開放状態から前記閉塞状態に向かう方向に前記誘導部材を付勢するばねであることを特徴とする。
【００１８】
また、請求項１２に係る発明のパチンコ機の入賞装置は、請求項７乃至１１のいずれかに記載の発明の構成に加えて、前記誘導部材の位置を検出する検出手段を備えたことを特徴とする。
【発明の効果】
【００１９】
請求項１に係る発明のパチンコ機の入賞装置では、誘導部材を左右方向に移動させることによって、入賞口への遊技球の入賞のし易さを制御することができる。誘導部材の移動量が大きく視覚変化が大きいため、入賞に対する大きな期待を遊技者に対して抱かせることができる。軒板部は直接遊技盤面に固定されるので、閉塞状態とした場合には誘導部に遊技球が衝突しない。このため、入賞装置の故障発生を抑えて装置の信頼性を高めることができる。
【００２０】
また、請求項２に係る発明のパチンコ機の入賞装置では、請求項１に記載の発明の効果に加えて、簡易な構成で、誘導部材を移動させることができる。
【００２１】
また、請求項３に係る発明のパチンコ機の入賞装置では、請求項２に記載の発明の効果に加えて、駆動手段は、小さなストロークで誘導部材を大きく左右に移動させることができる。
【００２２】
また、請求項４に係る発明のパチンコ機の入賞装置では、請求項２又は３に記載の発明の効果に加えて、ソレノイドを稼働させることによって、誘導部材を左右に移動させることができる。
【００２３】
また、請求項５に係る発明のパチンコ機の入賞装置では、請求項２乃至４のいずれかに記載の発明の効果に加えて、第一付勢手段によって誘導部材を左右に移動させることができる。簡単な構成で誘導部材を移動させることができる。第一付勢手段の付勢力を調整することによって、誘導部材の移動速度を調整することができる。これによって、遊技者に対して多彩な演出態様を視覚させることができる。
【００２４】
また、請求項６に係る発明のパチンコ機の入賞装置では、請求項５に記載の発明の効果に加えて、誘導部材をばねによって移動させ、開放状態に配置された誘導部を閉塞状態に戻すことができる。
【００２５】
また、請求項７に係る発明のパチンコ機の入賞装置では、請求項１に記載の発明の効果に加えて、駆動手段が回動凸部を回動させることによって、平面カムを従動させる。平面カムは、遊技機本体との軸支部分を支軸として揺動する。これによって、平面カムに接続された状態の誘導部材を移動させる。平面カムの開口部の形状を調整することによって、誘導部材の移動量や移動速度を容易に調整することができる。遊技者に対して多彩な稼動態様を視覚させることができる。
【００２６】
また、請求項８に係る発明のパチンコ機の入賞装置では、請求項７に記載の発明の効果に加えて、回動凸部を所定の回転方向に回動させた場合であっても、誘導部材を移動させ、誘導部の配置を繰り返し開放状態とすることができる。第一枠部〜第三枠部の形状を調整することによって、回動凸部を一定速度で回動させた場合であっても、誘導部材の移動量や移動速度を調整することができる。遊技者に対して多彩な稼動態様を視覚させることができる。
【００２７】
また、請求項９に係る発明のパチンコ機の入賞装置では、請求項７及び８に記載の発明の効果に加えて、モータを回動させることによって、誘導部材を移動させることができる。モータの回転速度を調整することによって、誘導部材の移動速度を調整できる。遊技者に対して多彩な稼動態様を視覚させることができる。
【００２８】
また、請求項１０に係る発明のパチンコ機の入賞装置では、請求項７乃至９のいずれかに記載の発明の効果に加えて、第二付勢手段によって、誘導部材を移動させることができる。簡単な構成で誘導部材を移動させることができる。第二付勢手段の付勢力を調整することによって、誘導部材の稼働速度を調整することができる。遊技者に対して多彩な稼動態様を視覚させることができる。
【００２９】
また、請求項１１に係る発明のパチンコ機の入賞装置では、請求項１０に記載の発明の効果に加えて、誘導部材をばねによって移動させ、開放状態に配置された誘導部を閉塞状態に戻すことができる。
【００３０】
また、請求項１２に係る発明のパチンコ機の入賞装置では、請求項７乃至１１のいずれかに記載の発明の効果に加えて、検出手段によって検出された誘導部材の位置に基づいて駆動手段を制御することによって、誘導部材を所望の位置に移動させることができる。
【図面の簡単な説明】
【００３１】
【図１】パチンコ機１の正面図である。
【図２】遊技盤２の正面図である。
【図３】入賞装置５０の正面図である。
【図４】入賞装置５０を前方右斜め上から見た斜視図である。
【図５】閉塞状態となるように誘導部材５２が移動した様子を示す図である。
【図６】開放状態となるように誘導部材５２が移動した様子を示す図である。
【図７】入賞装置５０の分解斜視図である。
【図８】入賞装置５０を遊技球が流れる様子を示す図である。
【図９】入賞装置５０の図３におけるＩ−Ｉ線矢視方向断面図である。
【図１０】入賞装置８０を前方右斜め上から見た斜視図である。
【図１１】入賞装置８０を前方右斜め上から見た斜視図である。
【図１２】閉塞状態となるように誘導部材８２が移動した様子を示す図である。
【図１３】閉塞状態となるように誘導部材８２が移動した様子を示す図である。
【図１４】開放状態となるように誘導部材８２が移動した様子を示す図である。
【図１５】平面カム９４の平面図である。
【図１６】入賞装置８０の分解斜視図である。
【図１７】入賞装置８０を遊技球が流れる様子を示す図である。
【発明を実施するための形態】
【００３２】
以下、本発明に係るパチンコ機の入賞装置の一実施の形態について、図面を参照して説明する。なおこれらの図面は、本発明が採用しうる技術的特徴を説明するために用いられるものであり、記載されている装置の構成はそれのみに限定する趣旨ではなく、単なる説明例である。
＜第一の実施の形態＞
【００３３】
以下、本発明の第一の実施の形態であるパチンコ機１の入賞装置５０について、図面を参照して説明する。はじめに、パチンコ機１の構造の概要について、図１を参照して説明する。パチンコ機１の正面の上半分の部分には、発射ハンドル７の操作により図示外の発射機から発射された遊技媒体としての遊技球が流下する遊技盤２が設けられている。遊技盤２は略正方形である（図２参照）。遊技盤２は、透明なガラス板を保持した前面枠１１で保護されている。遊技盤２の下方部には、発射機に遊技球を供給し、且つ賞品球を受ける上皿５が設けられている。上皿５の直下には、賞品球を受ける下皿６が設けられている。下皿６の右横には遊技球の発射を調整する発射ハンドル７が設けられている。前面枠１１の上部には、左右方向の略全長に亘って前側に膨出するように照明装置３５が設けられている。前面枠１１の上部の左右の角にはスピーカ４８がそれぞれ設けられている。前面枠１１の前面には演出用の電飾ランプが多数設けられている。
【００３４】
遊技盤２の構造について、図２を参照して説明する。遊技盤２の前面には、ガイドレールで囲まれた略円形の遊技領域４が設けられている。遊技領域４の略中央には、ＬＣＤからなる表示画面１３が設けられている。表示画面１３の下側には始動口２６、２７が設けられている。始動口２７は、所定のタイミングで開放される開閉部材を備えている。始動口２７の下方に入賞装置５０が設けられている。入賞装置５０については後述する。入賞装置５０の左側に、左から順に第一入賞口２１、第二入賞口２２、及び第三入賞口２３が設けられている。入賞装置５０の右側に、第四入賞口２４が設けられている。第一入賞口２１〜第四入賞口２４に遊技球が入賞した場合、所定数の遊技球が払い出される。始動口２６の右側に、変動入賞装置２８が設けられている。変動入賞装置２８に遊技球が入賞した場合、所定数の遊技球が払い戻される。
【００３５】
入賞装置５０に遊技球が入賞する様子について、図３を参照して概説する。入賞装置５０は、遊技球の流下を遮る軒板部５１と、左右方向に移動可能な誘導部材５２とを備えている。誘導部材５２が左方向に移動した場合、誘導部材５２のうち軒板部５１の真下から左方に突出する部分に、遊技盤２内を流下した遊技球が流入する。流入した遊技球は入賞口５５（図７参照）に誘導され、入賞口５５に入賞する。入賞装置５０の誘導部材５２は、所定のタイミングで左方向に移動する。入賞口５５に遊技球が入賞した場合、所定数の遊技球が払い出される。
【００３６】
入賞装置５０の構造について、図４〜図７を参照して説明する。図４に示すように、取付部材５３は、四隅がネジによって遊技盤２に取り付けられる。軒板部５１が取付部材５３から遊技者側に隆起している。取付部材５３のうち軒板部５１の下方部分に、開口した入賞口５５（図７参照）が設けられている。誘導部材５２は、軒板部５１の下方に設けられている。誘導部材５２は、左右方向に移動可能である。図３において説明したように、誘導部材５２左方向に移動した場合に、遊技球を入賞口５５に入賞させることができる状態となる。取付部材５３の後方には、誘導部材５２を左方向に移動させる駆動機構部５４を備えている。以下詳説する。
【００３７】
軒板部５１について説明する。軒板部５１は、左右水平方向に延設する板状部と、右端部から下方鉛直方向に延設する板状部とを備えている。軒板部５１は、遊技盤２内を下方に流下する遊技球が、軒板部５１の真下部分に流下することを遮る。軒板部５１のうち左右水平方向に延設する部分の上側には、左方向に向かって下降する傾斜が設けられている。軒板部５１の上側に至った遊技球は、傾斜に沿って左側に流れる。
【００３８】
誘導部材５２について説明する。誘導部材５２は、図５に示すように、遊技盤２に平行に配置される略長方形状のカバー板部５７と、カバー板部５７から後方に凸設する板状体である誘導部５８とを備えている。誘導部５８には、右方向に向かって緩やかに下降する傾斜が設けられている。誘導部材５２は、軒板部５１の真下部分に誘導部５８を配置した状態（図４及び図５参照、以下「閉塞状態」という。）と、軒板部５１の真下部分から左方向に誘導部５８の左側部分が突出するように配置した状態（図３及び図６参照、以下「開放状態」という。）とに移動可能である。駆動機構部５４に内装されたソレノイド６１が稼働することによって、誘導部材５２を左方に移動させる。
【００３９】
図５及び図６に示すように、誘導部材５２には、後方に凸設する凸設部６２が接続されている。凸設部６２は、前後方向に延設する溝部６８を備えている。凸設部６２の後方に、棒状の可動棒部６３が前後方向を長手方向とした状態で配置されている。可動棒部６３の先端部分には、下方に凸設した凸部６９が設けられている。凸設部６２の溝部６８に凸部６９が挿通している。凸部６９は溝部６８に沿って前後方向に滑動可能となっている。可動棒部６３の後端部分は、軸部６４によって駆動機構部５４（図４参照）の上カバー５６（図７参照）に軸支している。駆動機構部５４の上カバー５６はパチンコ機１本体に固定されているので、可動棒部６３は、後端部分がパチンコ機１本体に軸支されていることになる。
【００４０】
凸設部６２の前後略中央部分に、左右水平方向に延びる孔５９（図７参照）が設けられている。左右方向に延設する滑動棒７１が、孔５９に挿通している。凸設部６２は、滑動棒７１に沿って左右方向に滑動可能となっている。凸設部６２が左右方向に滑動することによって、凸設部６２に接続した誘導部材５２が左右方向に移動する。
【００４１】
ばね７６が、滑動棒７１の左側部分に巻き付いている。ばね７６は、凸設部６２を右方向に押し出す方向に付勢する。ばね７６は、所謂押しばねとして作用する。
【００４２】
ソレノイド６１が、プランジャ６５を右方水平方向に凸設させた状態で、誘導部材５２の後方に配置されている。プランジャ６５の右方先端部分は、可動棒部６３の後端近傍に連結部６６を介して接続している。ソレノイド６１は、プランジャ６５を右方に大きく突出させた状態（図５参照）と、プランジャ６５を左方に引き込んだ状態（図６参照）とに切り替えることができる。ソレノイド６１が備えるコイルに電流が通電した場合、プランジャ６５は左方に引き込まれる。プランジャ６５は可動棒部６３の後端軸支部分の近傍に接続されるので、プランジャ６５の左右方向の移動量が小さい場合であっても、可動棒部６３の先端部分は大きく左右に移動する。
【００４３】
入賞装置５０の内部構造について、図７を参照して説明する。取付部材５３には、既述のように軒板部５１が設けられている。取付部材５３のうち軒板部５１の下方に、遊技球を前方から後方に通流させる開口部分である入賞口５５が設けられている。誘導部材５２には、既述のように、後方に凸設部６２が接続されている。凸設部６２は入賞口５５に挿通している。可動棒部６３の前端部分の凸部６９が、凸設部６２の溝部６８に挿通している。取付部材５３の後方に配置する滑動棒７１が、凸設部６２の孔５９に挿通している。滑動棒７１の左側部分に、ばね７６が巻き付いている。
【００４４】
取付部材５３の後方に、入賞口５５を通過した遊技球を右方に通流させる通流部材７３が取り付けられている。通流部材７３は、遊技球を通流させるための中空状の通流路を備えている。通流路は左右方向に延設されている。入賞口５５を通過した遊技球は、通流路を通って右方に通流する。通流部材７３が備える通流路の右端部分には、遊技球を検出する検出センサ７４が取り付けられている。検出センサ７４には、遊技球が通過可能な孔が設けられている。検出センサ７４は、通流部材７３の通流路を通流する遊技球が孔を通過した場合に、遊技球を検出する。
【００４５】
通流部材７３の左側部分に、ＬＥＤを固定する固定板７５が固定されている。ＬＥＤから放射された光を外部に取り出すための透明板７２が、取付部材５３の左側に設けられた窓部に嵌合している。透明板７２は、固定板７５を前方から覆う位置に配置される。ＬＥＤから放射された光は、透明板７２を透過し、遊技盤２の前方から視認される。
【００４６】
通流部材７３の後方に、駆動機構部５４が設けられている。駆動機構部５４は、上カバー５６及び下カバー６７を備えている。上カバー５６と下カバー６７との間に挟まれた空間に、ソレノイド６１や可動棒部６３等が収容される。ソレノイド６１は、プランジャ６５を右方水平方向に突出させている。プランジャ６５の先端部分に、連結部６６を介して可動棒部６３が接続されている。可動棒部６３の後端部分は、軸部６４によって上カバー５６及び下カバー６７に軸支されている。プランジャ６５の先端部分は、可動棒部６３のうち後端の軸支部分の近傍に接続されている。
【００４７】
誘導部材５２が移動する様子について、図３〜図６を参照して説明する。ソレノイド６１のコイルに電流が通電していない状態では、プランジャ６５に力が加わらないので、凸設部６２がばね７６によって右方向に押し出される。図５に示すように、凸設部６２に接続された誘導部材５２は右方向に移動し、誘導部５８は閉塞状態に配置される。閉塞状態となった場合、図４に示すように、軒板部５１が真下部分への遊技球の流下を遮るので、誘導部材５２に遊技球が衝突することはなく、誘導部５８には遊技球が流入しない。また、カバー板部５７が軒板部５１の下方に配置された入賞口５５（図７参照）を塞ぐ。遊技球は入賞口５５に入賞しない。
【００４８】
一方、ソレノイド６１のコイルに電流が通電された場合、プランジャ６５に対して左方に力が加わる。プランジャ６５は左方に引き込まれる。図６に示すように、プランジャ６５に接続する可動棒部６３は、後端部分の軸部６４を支軸として前端部分を左方に大きく揺動させる。前端部分の凸部６９が溝部６８に沿って滑動しながら凸設部６２を左方向に移動させる。凸設部６２に接続された状態の誘導部材５２が左方向に移動（図中矢印Ａ）し、誘導部５８を開放状態に配置する。誘導部５８を開放状態に配置した場合、図３に示すように、軒板部５１の真下部分から左方向に突出した状態の誘導部５８（図５参照）に、遊技盤２を流下した遊技球が流入する。また、軒板部５１の上側板状部を傾斜に沿って流下した遊技球が、誘導部５８に流入する。誘導部５８に流入した遊技球は、傾斜に沿って右方向に誘導され、入賞口５５（図７参照）に入賞する。
【００４９】
入賞装置５０内を遊技球が通流する様子について、図８及び図９を参照して説明する。なお図８では、入賞装置５０のうち取付部材５３及び駆動機構部５４が省略されている。ソレノイド６１（図９参照）が稼働して誘導部材５２が左方向に移動し、誘導部５８を開放状態に配置する。誘導部５８の左側部分が軒板部５１（図９参照）の真下部分から左に突出した状態となる。遊技盤２を流下した遊技球は、誘導部５８のうち左に突出した部分に流入する。誘導部５８に流入した遊技球は、誘導部５８に設けられた傾斜に沿って右方向に誘導され、次いで入賞口５５（図９参照）を前方から後方に向かって通流する。入賞口５５を通って後方に通流した遊技球は、通流部材７３の通流路に沿って右方に通流する。遊技球は、検出センサ７４の孔を通って所定の受け部へと至る。
【００５０】
以上説明したように、入賞装置５０では、誘導部材５２を左右方向に移動させることによって、遊技球が入賞口５５に入賞可能な状態と、遊技球が入賞口５５に入賞不可能なとに切り替える。誘導部材５２が左右方向に移動する場合の移動量が大きので、遊技盤２の視覚変化が大きくなる。これによって、入賞に対する大きな期待を遊技者に対して抱かせることができる。
【００５１】
軒板部５１が遊技球の流下を遮るので、誘導部５８を閉塞状態に配置した場合には、誘導部５８に対して遊技球が衝突しない。可動部材である誘導部材５２に対して遊技球が衝突する頻度を抑制することができるので、入賞装置５０が故障してしまうことを防止できる。入賞装置５０の信頼性を高めることができる。
【００５２】
ソレノイド６１のコイルに電流を通流させることによって、誘導部材５２を左方向に移動させ、誘導部５８の配置を閉塞状態から開放状態に切り替えることができる。ソレノイド６１のプランジャ６５は、可動棒部６３における後端軸支部近傍に接続されている。従って、プランジャ６５の移動量が小さい場合であっても、可動棒部６３の前端部分を大きく左方に揺動させることができる。
【００５３】
ソレノイド６１の通電状態が解除された場合、ばね７６によって誘導部材５２は右方に移動する。ばね７６の付勢力を調整することによって、誘導部材５２の移動速度を変化させることができる。ばね７６は押しばねとして作用しているので、引きばねを使用した場合と比較して、ばねの付勢力の劣化を抑制することができる。また、ばね７６の付勢力を調節することによって、誘導部材５２の移動速度を変化させることができる。これによって、閉塞状態→開放状態に誘導部５８の配置を切り替える場合における誘導部材５２の移動速度と、開放状態→閉塞状態に誘導部５８の配置を切り替える場合における誘導部材５２の移動速度を変化させることができる。遊技者に対して、より多彩な演出を行うことができる。
【００５４】
なお、図５等に記載されているソレノイド６１、及びばね７１が本発明の「駆動手段」に相当し、ばね７１が本発明の「第一付勢手段」に相当する。
【００５５】
なお、本発明は上記の実施の形態に限定されるものではなく、種々の変更が可能である。上述の実施の形態では、誘導部材５２が左方に移動することによって、誘導部５８が開放状態に配置されたが、本発明はこの構成に限定されず、例えば、誘導部材５２が右方に移動することによって、誘導部５８が開放状態に配置される構成であってもよい。また、コイル通電時にプランジャ６５が押し出るような構成のソレノイド６１を、可動棒部６３に対して右方に配置させてもよい。
＜第二の実施の形態＞
【００５６】
以下、本発明の第二の実施の形態であるパチンコ機１の入賞装置８０について、図面を参照して説明する。なお、パチンコ機１及び遊技盤２の構造については、入賞装置５０の代わりに入賞装置８０が取り付けられる他は、既述の第一の実施の形態と同一である。以下では説明を省略している。
【００５７】
入賞装置８０の構造について、図１０〜図１６を参照して説明する。図１０及び図１１に示すように、入賞装置８０は、遊技盤２に取り付けられる取付部材８３から遊技者側に隆起した板状の軒板部８１を備えている。取付部材８３は、軒板部８１の下方に、開口した入賞口８５（図１１参照）を備えている。軒板部８１の下方には、左右方向に移動可能な誘導部材８２を備えている。誘導部材８２は、流下する遊技球を入賞口８５に誘導することができる。取付部材８３の後方に、入賞口８５を通過した遊技球を通流させる通流部材９６が設けられている。通流部材９６の後方に、誘導部材８２を移動させる駆動機構部８４を備えている。以下詳説する。
【００５８】
軒板部８１について説明する。軒板部８１は、左右水平方向に延設する板状部と、この板状部の右側から下方鉛直方向に延設する板状部とを備えている。軒板部８１は、遊技盤２を下方に流下する遊技球が、軒板部８１の真下部分に流下することを遮る。軒板部８１のうち左右水平方向に延設する板状部の上側には、左方向に向かって下降する傾斜が設けられている。軒板部８１の上側に通流した遊技球は、傾斜に沿って左側に流れる。
【００５９】
誘導部材８２について説明する。誘導部材８２は、遊技盤２に平行に配置される略長方形状の板状部材であるカバー板部８７と、カバー板部８７から後方に凸設する誘導部８８及び壁板部８９を備えている。誘導部８８には、カバー板部８７の上辺部分に沿って左右方向に延設している。誘導部８８には、右方向に向かって緩やかに下降する傾斜が設けられている。壁板部８９は、カバー板部８７の左上部分に設けられており、左方向に向かって鋭角に傾斜している。誘導部材８２は、軒板部８１の真下部分に誘導部８８を配置した閉塞状態（図１０参照）と、軒板部８１の真下部分から左方向に誘導部８８全体が突出するように配置した開放状態（図１１参照）とに移動可能である。なお壁板部８９は、閉塞状態においても軒板部８１の左方に突出している。駆動機構部８４に内装されたモータ９２（図１２等参照）が回転することによって、誘導部材８２を移動させる。
【００６０】
図１２〜図１４に示すように、誘導部材８２には、後方に凸設する凸設部１０１が接続されている。凸設部１０１の後端部分に平面カム９４の円筒棒部９４１が軸支されている。平面カム９４が回動することによって、円筒棒部９４１に軸支した誘導部材８２が左方向に移動する。
【００６１】
平面カム９４について、図１５を参照して説明する。平面カム９４は、正面視にて略半円形状を有している。中心に開口部９４３を備えている。開口部９４３は、第一枠部９４４、第二枠部９４５、及び第三枠部９４６にて囲まれることによって構成されている。第一枠部９４４は略半円弧状を有している。第二枠部９４５は、第一枠部９４４のうち下方の端部から第一枠部９４４の半円弧の内側方向に延設している。第三枠部９４６は、第二枠部９４５のうち第一枠部９４４に接続する側と反対側の端部から、第一枠部９４４の半円弧の外側方向に延設し、第一枠部９４４のうち上側の端部に接続している。
【００６２】
平面カム９４のうち第一枠部９４４の下端部分の外側に、円筒形状の円筒棒部９４１が設けられている。円筒棒部９４１は、紙面手前側（遊技盤２の前方）に突出している。円筒棒部９４１の前端部分において、既述の凸設部１０１が軸支されている。
【００６３】
平面カム９４のうち第一枠部９４４の上端部分の外側に、円筒形状の軸支部９４２が前後方向に延設されている。軸支部９４２の円筒中心には、前後方向に貫通孔が設けられている。貫通孔に軸棒９５が貫通している。軸棒９５は、通流部材９６と駆動機構部８４の前カバー９７（図１６参照）とによって固定されている。通流部材９６と前カバー９７とは、パチンコ機１本体に固定される。従って軸支部９４２は、パチンコ機１本体に軸支されていることになる。平面カム９４は、軸支部９４２の貫通孔に貫通した軸棒９５を支軸として揺動可能となっている（図中矢印Ｃ）。
【００６４】
平面カム９４のうち第三枠部９４６の外側には、左方に突出する凸設部９４７が設けられている。凸設部９４７は、位置検出センサ１０５（図１６参照）によって平面カム９４の回動の程度が検出される場合に使用される。詳細は後述する。
【００６５】
図１２〜図１４に示すように、平面カム９４の後方に、円盤状の円板９３が平面カム９４と平行に設けられている。円板９３の後方にモータ９２が設けられている。モータ９２の回転軸に、円板９３が接続されている。モータ９２は、正面視にて時計回りの方向に回転する。モータ９２が回転することによって、円板９３が回転する。
【００６６】
円板９３の前面側に、前方に突出した回動凸部９３１が設けられている。回動凸部９３１は、前方に配置されている状態の平面カム９４の開口部９４３に内接している。モータ９２が回転することによって、円板９３及び回動凸部９３１が回転する。回動凸部９３１の回動に伴って、回動凸部９３１が内接した状態の平面カム９４を従動させる。これによって、平面カム９４の円筒棒部９４１に軸支した誘導部材８２を左右方向に移動させ、誘導部８８を閉塞状態（図１２、図１３参照）及び開放状態（図１４参照）に配置する。
【００６７】
円筒棒部９４１を右方向に付勢するばね１０２が設けられている。ばね１０２は所謂引きばねとして作用する。誘導部材８２が左側に移動した場合に、円筒棒部９４１を右方向に付勢する力が作用する。
【００６８】
入賞装置８０の内部構造について、図１６を参照して説明する。取付部材８３には、既述のように軒板部８１が設けられている。軒板部８１の下方には、遊技球を通流させる開口部である入賞口８５が設けられている。誘導部材８２には、既述のように、後方に凸設する凸設部１０１が接続されている。凸設部１０１は、入賞口８５に挿通し、後方の円筒棒部９４１に軸支している。円筒棒部９４１を右方向に付勢するばね１０２が接続されている。
【００６９】
取付部材８３の後方に、入賞口８５を通過した遊技球を右方に通流させる通流部材９６が設けられている。通流部材９６は、遊技球を通過させるための中空状の通流路を備えている。通流路は左右方向に延設されている。通流路の右端部分に、遊技球を下方に通流させる通流部材１０６が接続されている。通流部材１０６は、遊技球を通過させるための中空状の通流路を備えている。通流部材１０６には、遊技球を検出する検出センサ１０３が取り付けられている。検出センサ１０３には、遊技球が通過可能な孔が設けられている。検出センサ１０３は、通流部材１０６の通流路を通流する遊技球が孔を通過した場合に、遊技球を検出する。
【００７０】
通流部材９６の後方に、駆動機構部８４が設けられている。駆動機構部８４は、平面カム９４等を収容する前カバー９７と、モータ９２を収容する後カバー９８とを備えている。通流部材９６と前カバー９７との間に挟まれた空間には、平面カム９４と円板９３とが収容される。平面カム９４の軸支部９４２は、軸棒９５によって通流部材９６及び前カバー９７に軸支されている。円板９３から前方に突出した回動凸部９３１（図１２参照）が、平面カム９４の開口部９４３（図１５参照）に内接している。
【００７１】
通流部材９６と前カバー９７との間に挟まれた空間には、平面カム９４の回動の程度を検出する位置検出センサ１０５が内装している。位置検出センサ１０５は、対向する二つの凸部が所定間隔を空けて配置された構成を有している。位置検出センサ１０５は、二つの凸部にて挟まれる部分に、平面カムの凸設部９４７が存在するか否かを検出することができる。位置検出センサ１０５において凸設部９４７が存在すると判断された場合、誘導部材８２が左方に移動し、誘導部８８が開放状態に配置していると認識される。
【００７２】
前カバー９７と後カバー９８との間に挟まれた空間には、円板９３を回転させるモータ９２が内装している。モータ９２の回転軸が前方に延設されている。回転軸は前カバー９７を挿通し、通流部材９６と前カバー９７との間に挟まれた空間に内装する円板９３に接続している。
【００７３】
円板９３の回転に伴う誘導部材８２の移動の様子について、図１０〜図１４を参照して説明する。はじめに、円板９３の回転に伴い、回動凸部９３１の位置が、正面視にて円板９３の最上点の位置から約１２０°程度時計回りに移動する場合の誘導部材８２の様子について、図１２を参照して説明する。この状態では、回動凸部９３１は、平面カム９４の開口部９４３のうち第一枠部９４４（図１５参照）に内接した状態となるか（図１２参照）、又は、開口部９４３のいずれの枠部にも接しない状態となる。この場合、平面カム９４は回動凸部９３１の回動に従動しないので、円筒棒部９４１を左方に移動させる力が働かない。ばね１０２が円筒棒部９４１を右方向に付勢しているので、円筒棒部９４１に軸支された誘導部８８が右側に配置された状態（閉塞状態、図１０参照）となる。
【００７４】
さらに円板９３が回転し、回動凸部９３１の位置が、さらに約１２０°程度時計回りに移動する場合の誘導部材８２の様子について、図１３及び図１４を参照して説明する。この状態では、回動凸部９３１は、第二枠部９４５（図１５参照）に内接した状態となる。回動凸部９３１は、第二枠部９４５に内接した状態で時計回りに回転するので、平面カム９４は回動凸部９３１の回動に従動する。軸支部９４２を支軸として円筒棒部９４１を右から左方向に移動させるように揺動する。この移動に伴い、誘導部材８２が右から左方向に移動する。（図中矢印Ｂ）。誘導部８８は左側に配置された状態（開放状態、図１１参照）となる。
【００７５】
さらに円板９３が回転し、回動凸部９３１の位置が、さらに約１２０°程度時計回りに移動する場合の誘導部材８２の様子について説明する。この場合、回動凸部９３１が第二枠部９４５に内接した状態が解消される。回動凸部９３１は、第三枠部９４６（図１５参照）に内接した状態となるか、又は、開口部９４３のいずれの枠部にも接しない状態となる。この場合、円筒棒部９４１を左方に移動させる力が働かない。左側に移動した状態の誘導部材８２には、ばね１０２によって、左から右方向の付勢力が働いている。円筒棒部９４１は、ばねに１０２の付勢力によって左から右方向に即座に移動する。円筒棒部９４１の移動に伴い、誘導部材８２が左から右方向に移動する。誘導部８８を再び閉塞状態（図１０参照）に配置する。
【００７６】
誘導部材８２が右方に移動し、誘導部８８を閉塞状態に配置した場合、図１０に示すように、軒板部８１が真下部分への遊技球の流下を遮るので、誘導部８８に遊技球が衝突することはなく、誘導部材８２には遊技球が流入しない。カバー板部８７が軒板部８１の下方に配置された入賞口８５を塞ぐ。このため閉塞状態では、遊技球は入賞口８５に入賞しない。
【００７７】
一方、誘導部材８２が左方に移動し、誘導部８８を開放状態に配置した場合、図１１に示すように、軒板部８１の真下部分から誘導部８８が左方に突出する。遊技盤２を流下した遊技球が、突出した状態の誘導部８８に流入する。また、軒板部８１の上側板状部を傾斜に沿って流下した遊技球が、突出した状態の誘導部８８に流入する。誘導部８８に流入した遊技球は、傾斜に沿って右方向に誘導され、入賞口８５に入賞する。
【００７８】
入賞装置８０を遊技球が通流する様子について、図１７を参照して説明する。誘導部材８２が左方向に移動し、誘導部８８を開放状態に配置した場合、誘導部８８が軒板部８１の真下部分から左に突出した状態となる。遊技盤２を流下した遊技球は誘導部８８に流入する。誘導部８８に流入した遊技球は、誘導部８８に設けられた傾斜に沿って右方向に誘導され、次いで入賞口８５を前方から後方に向かって通流する。入賞口８５を通って後方に通流した遊技球は、通流部材９６に設けられている通流路に沿って右方に通流し、さらに、通流部材１０６に設けられている通流路に沿って下方に通流する。遊技球は、検出センサ１０３の孔を通過して所定の受け部へと至る。
【００７９】
以上説明したように、入賞装置８０では、モータ９２を回転させることによって、円板９３に設けられた回動凸部９３１を回動させ、平面カム９４を揺動させる。これによって、平面カム９４に接続された誘導部材８２を右から左方向に移動させる。誘導部８８を開放状態に配置することができる。誘導部材８２が移動する場合の移動量が大きく、視覚変化が大きくなるので、入賞に対する大きな期待を遊技者に対して抱かせることができる。
【００８０】
軒板部８１が遊技球の流下を遮るので、閉塞状態では、誘導部８８に対して遊技球が衝突しない。壁板部８９には鋭角な傾斜が設けられているので、遊技球が壁板部８９に衝突した場合であっても、誘導部材８２自体に与える衝撃は小さい。このため、遊技球の衝突時における衝撃で入賞装置８０が故障してしまうことを防止できる。入賞装置８０の信頼性を高めることができる。
【００８１】
平面カム９４を使用することによって、モータ９２を同一方向（時計の回転方向）に回転させた場合であっても、誘導部材８２を移動させて誘導部８８を繰り返し開放状態に配置させることができる。また、モータ９２の回転速度や平面カム９４の開口部９４３を調整することによって、誘導部材８２の移動速度を調整できる。遊技者に対して多様な演出を行うことができる。
【００８２】
ばね１０２を備えているので、左方に移動した誘導部材８２を右方に移動させ、誘導部８８を閉塞状態に配置することができる。ばね１０２の付勢力を調節することによって、誘導部材８２の移動速度を変化させることができる。これによって、閉塞状態→開放状態に誘導部８８の配置を切り替える場合における誘導部材８２の移動速度と、開放状態→閉塞状態に誘導部８８の配置を切り替える場合における誘導部材８２の移動速度を変化させることができる。遊技者に対して、より多彩な演出を行うことができる。
【００８３】
入賞装置８０は位置検出センサ１０５を備えているので、誘導部材８２がどの位置に配置された状態であるかを検出できるので、誘導部材８２の配置情報に基づいた開閉制御を行うことができる。
【００８４】
なお、図１２等に記載されているモータ９２、及びばね１０２が本発明の「駆動手段」に相当し、ばね１０２が本発明の「第二付勢手段」に相当する。図１６の位置検出センサ１０５が本発明の「検出手段」に相当する。
【００８５】
なお、本発明は上記の実施の形態に限定されるものではなく、種々の変更が可能である。上述の実施の形態では、誘導部材８２が左方に移動することによって、誘導部８８を開放状態に配置させたが、本発明はこの構成に限定されず、例えば、誘導部材８２が右方に移動することによって、入賞装置８０が開放状態となる構成であってもよい。また、ばね１０２は押しばねとして作用するように設けられてもよい。
【符号の説明】
【００８６】
１      パチンコ機
５０、８０    入賞装置
５１、８１    軒板部
５２、８２    誘導部材
５３、８３    取付部材
５５、８５    入賞口
５８、８８    誘導部
６１    ソレノイド
６２    凸設部
６３    可動棒部
６８    溝部
６９    凸部
７２    透明部材
７６、１０２    ばね
９２    モータ
９４    平面カム
１０５  位置検出センサ
９３１  回動凸部
９４３  開口部
９４４  第一枠部
９４５  第三枠部
９４６  第三枠部
【図１】
2011004838.tif 000003
【図２】
2011004838.tif 000004
【図３】
2011004838.tif 000005
【図４】
2011004838.tif 000006
【図５】
2011004838.tif 000007
【図６】
2011004838.tif 000008
【図７】
2011004838.tif 000009
【図８】
2011004838.tif 000010
【図９】
2011004838.tif 000011
【図１０】
2011004838.tif 000012
【図１１】
2011004838.tif 000013
【図１２】
2011004838.tif 000014
【図１３】
2011004838.tif 000015
【図１４】
2011004838.tif 000016
【図１５】
2011004838.tif 000017
【図１６】
2011004838.tif 000018
【図１７】
2011004838.tif 000019